(57)【特許請求の範囲】
【請求項１】
コンピュータ読み取り可能なプログラムによって実行される遊技場管理者と遊技機流通業者間での遊技機の流通を管理するシステムであって、
遊技場管理者が遊技機の入替に際して所轄機関に提出する所定の書類に記載すべき事項からなる申請書情報を入力する申請書情報入力手段と、前記申請書情報入力手段により入力された申請書情報に基づいて所定の書式に電子データを作成する処理手段と、電子データが入力された所定の書類を出力する手段からなる書類作成工程と、前記書類作成工程において申請書情報入力手段により入力された申請書情報のうち少なくとも撤去予定遊技機情報と新設予定遊技機情報を含む遊技機入替情報を管理サーバーに伝達する手段と、前記管理サーバーに格納または接続されて前記遊技機入替情報を蓄積するデータベースと、前記データベースに蓄積された前記遊技機入替情報より抽出される撤去予定遊技機情報を遊技機流通業者に伝達する撤去予定遊技機情報伝達手段と、前記遊技機流通業者が買取を希望する撤去予定遊技機に対して買取条件を入力する買取条件入力手段と、前記買取条件を前記管理サーバーを介して前記遊技場管理者へ伝達する買取条件伝達手段と、前記買取条件伝達手段により伝達された買取条件を前記遊技場管理者に閲覧可能に表示する表示手段からなる流通管理工程とを備えてなることを特徴とする遊技機流通管理システム。
【請求項２】
流通管理工程において、複数の遊技場管理者と複数の遊技機流通業者とが管理サーバーに情報伝達可能に接続され、遊技場管理者情報と関連づけてデータベースに蓄積された撤去予定遊技機情報を前記複数の遊技機流通業者に伝達する伝達手段と、遊技機流通業者が買取を希望する撤去予定遊技機情報に対して買取条件を入力する買取条件入力手段と、前記複数の遊技機流通業者から入力された買取条件を前記管理サーバーを介して前記買取条件が入力された撤去予定遊技機情報に対応する遊技機入替情報を伝達した遊技場管理者へ伝達する買取条件伝達手段と、前記買取条件伝達手段により伝達された複数の遊技機流通業者が提示する買取条件を前記遊技場管理者が閲覧可能に表示する表示手段を備えてなることを特徴とする請求項１に記載の遊技機流通管理システム。
【請求項３】
複数の遊技機流通業者から入力された買取条件を撤去予定遊技機情報ごとに集計処理する処理手段と、前記集計処理された買取条件を前記買取条件が入力された撤去予定遊技機情報に対応する遊技機入替情報を伝達した遊技場管理者へ伝達する買取条件伝達手段と、前記買取条件伝達手段により伝達された複数の遊技機流通業者が提示する買取条件を前記遊技場管理者に一覧にして比較閲覧可能に表示する表示手段を備えてなることを特徴とする請求項１または２に記載の遊技機流通管理システム。
【請求項４】
買取条件伝達手段により伝達された複数の遊技機流通業者が提示する買取条件を遊技場管理者に一覧にして比較閲覧可能に表示する表示手段は、買取値が高い買取条件から順に一覧表示させる手段からなることを特徴とする請求項１乃至３のいずれかに記載の遊技機流通管理システム。
【請求項５】
買取条件伝達手段により伝達された遊技機流通業者が提示する買取条件から、遊技場管理者が希望する買取条件を選択する手段と、前記選択した買取条件を提示した遊技機流通業者に買取の発注を伝達する手段と、前記遊技機流通業者が前記買取の発注に対して買取の合意を伝達する手段を備えてなることを特徴とする請求項１乃至４のいずれかに記載の遊技機流通管理システム。
【請求項６】
あらかじめ遊技機流通業者が買取を希望する遊技機の種類情報を入力する入力手段と、前記買取を希望する遊技機の種類情報をデータベースに蓄積する手段と、前記データベースに蓄積された買取を希望する遊技機の種類情報と遊技場管理者より随時伝達される撤去予定遊技機情報とを照合する手段と、前記買取を希望する遊技機の種類情報と前記撤去予定遊技機情報とが合致したとき前記遊技機流通業者に対して前記撤去予定遊技機情報を伝達する手段を備えてなることを特徴とする請求項１乃至５のいずれかに記載の遊技機流通管理システム。
【請求項７】
書類作成工程は、遊技場管理者ごとに関連づけて管理サーバーに格納または接続されたデータベースに更新蓄積されている現在遊技機情報を取得する取得手段と、前記取得手段に応じて遊技場管理者に伝達される前記現在遊技機情報に対して撤去予定遊技機情報と新設予定遊技機情報を置換させることにより申請書情報を入力する申請書情報入力手段と、前記入力手段により入力された申請書情報と、管理サーバーまたは遊技場管理者端末に蓄積されている所定の書式情報とを合成して電子データが入力された所定の書類を作成する処理手段と、電子データが入力された所定の書類を遊技場管理者端末に出力する出力手段を備えてなることを特徴とする請求項１乃至６のいずれかに記載の遊技機流通管理システム。
【請求項８】
申請書情報入力手段により入力される撤去予定遊技機の種類および台数に関する撤去予定遊技機情報と新設予定遊技機の種類及び台数に関する新設予定遊技機情報をデータベースまたは遊技場管理者端末に蓄積されている変更承認申請書フォームおよび遊技機入替明細書フォームからなる所定の書式情報と合成して、所定の個所に電子データが入力された変更承認申請書および遊技機入替明細書を作成する処理手段と、前記所定の個所に電子データが入力された前記変更承認申請書および前記遊技機入替明細書を遊技場管理者端末に出力する出力手段を備えてなることを特徴とする請求項１乃至７のいずれかに記載の遊技機流通管理システム。
【請求項９】
遊技場管理者が遊技機に関する申請書情報を入力する手段において、パチンコ台に関する申請書情報入力画面とスロット台に関する申請書情報入力画面とを切換可能な切換手段を有することを特徴とする請求項１乃至８のいずれかに記載の遊技機流通管理システム。
【請求項１０】
電子データが入力された所定の書類を遊技場管理者端末と伝達可能に接続された所轄機関端末または所轄機関サーバーへ電子情報伝達する手段を備えてなることを特徴とする請求項１乃至９のいずれかに記載の遊技機流通管理システム。
【請求項１１】
遊技場管理者および遊技機流通業者が管理サーバーにログインする方法は、あらかじめ遊技場管理者および遊技機流通業者に付与され、遊技場管理者端末および遊技機流通業者に設置された入力手段により入力されるとともに伝達手段により伝達される会員ＩＤと会員パスワードとの組合せ照合手段によるものであることを特徴とする請求項１乃至１０のいずれかに記載の遊技機流通管理システム。
【請求項１２】
遊技場管理者が書類作成工程における申請書作成後に行った前記申請書の取り消し操作を、数値化した申請書取り消し指標としてサーバーに記録するとともに、前記申請書取り消し指標を遊技機流通業者に伝達する手段を備えてなり、遊技機流通業者において該遊技場管理者の申請書取り消し履歴を把握することができることを特徴とする請求項１乃至１１のいずれかに記載の遊技機流通管理システム。
【請求項１３】
申請書取り消し指標は、遊技場管理者における申請書取り消し操作を行った操作回数からなる取り消し回数値または前記取り消し回数値をあらかじめ設定された換算式に基づき得点化した取り消し得点値であることを特徴とする請求項１乃至請求項１２のいずれかに記載の遊技機流通管理システム。
【請求項１４】
申請書取り消し指標は、取り消し回数値または取り消し得点値と取り消し理由項目ごとに設定されている基準値とを演算して得られる取り消し演算値としたことを特徴とする請求項１乃至１３のいずれかに記載の遊技機流通管理システム。
【請求項１５】
遊技機流通業者により遊技機買い取りの合意を行う取引成約操作を、数値化した成約指標としてサーバーに記録するとともに、前記成約指標を遊技機流通業者に伝達する手段を備えてなり、遊技機流通業者において該遊技場管理者の売却成約履歴を把握することができることを特徴とする請求項１乃至１４のいずれかに記載の遊技機流通管理システム。
【請求項１６】
成約指標は、取引成約操作の操作回数からなる成約回数値または成約回数値をあらかじめ設定された換算式に基づき得点化した成約得点値としたことを特徴とする請求項１乃至請求項１５のいずれかに記載の遊技機流通管理システム。
【請求項１７】
成約指標は、成約回数値または成約得点値と成約理由項目および成約破棄理由項目ごとに設定される基準値とを演算して得られる成約演算値としたことを特徴とする請求項１乃至請求項１６のいずれかに記載の遊技機流通管理システム。
【請求項１８】
成約指標における成約理由および成約破棄理由項目ごとに設定される基準値は、遊技場管理者が売却の見積り受領後に買い取り発注の可否結果を伝達しなかった回数をあらかじめ設定した換算式に基づき得点化した値とし、前記値を成約回数値または成約得点値より減算してなることを特徴とする請求項１７記載の遊技機流通管理システム。
【発明の詳細な説明】
【技術分野】
【０００１】
本発明は、遊技機の流通管理システムに関するものであって、特に、パチンコ店舗等の遊技場管理者において遊技機の納入や入替に際して必要な書類作成を行うとともに、この書類作成において入力されるデータを利用して複数の遊技場管理者と遊技機流通業者との間で遊技機の流通管理を統括して行うことができるシステムに関するものである。
【背景技術】
【０００２】
遊技場管理事業においてパチンコ台やスロット台等の遊技機の納入や入替の際にはその都度、搬入および入替の日の数日前までには、所轄機関に対して、遊技場管理者の名称、住所等を記載した変更承認申請書および遊技機入替前および遊技機入替後それぞれの遊技機の種類、製造者名、形式名、台数等を記載した遊技機入替明細書と呼ばれる所定の書式に従った書類を提出して必要な許認可を得ることが義務づけられている。したがって、遊技場管理者は遊技機の入替ごとに手書き等にて、当該書類の作成を行っていた。当該所定の書類を電子的に作成するシステムとして、書式作成システムが開示されている。このシステムは、従来手書きにて作成していた所定の書類を一定のフォーマットに従って、コンピュータ入力により作成するシステムである。具体的には、必要な書類に関するデータを入力するための入力手段と、必要な書類の電子データを作成する処理手段と、該処理手段で作成された書類の電子データが入力されて必要な書類を出力する出力手段と、出力された書類を提出するべき機関へ移動する書類移動手段とを備え、前記書類手段は、書類作成に必要なデータを記憶する記憶手段と、書類作成に関する処理を行う領域を処理手段内で選択する中央処理手段と、中央処理手段により選択されて且つ前記入力されたデータと記憶手段から送出されたデータとを合成する作成手段とを包含している（特許文献１参照。）。
【０００３】
また、遊技場において遊技台の入替を行うに際しては、当該遊技場において不要になった中古遊技機を遊技機流通業者が買い付けて市場に出すことが一般的である。従来これを統括的に管理するシステムは存在せず、遊技機の買い付けに際しては、遊技機の入替後に遊技機流通業者が中古遊技機が保管してある倉庫に直接出向いて撤去後の遊技機を買い付けたり、また、特定の遊技場管理者と提携している特定の遊技機流通業者が中古遊技機を一定の価格で買い付けていた。
【特許文献１】特開２００４−２０６３２３号特許公報
【発明の開示】
【発明が解決しようとする課題】
【０００４】
しかしながら、上述した変更承認申請書、遊技機入替明細書等の書類の作成は、短いサイクルで遊技機を入れ替える必要のある遊技場管理者にとって、頻繁に行わなければならない煩雑な作業であった。また、遊技場管理者は、撤去した中古遊技機の保管場所を確保する必要があった。さらには、提携する遊技機流通業者が提示する一定の価格で中古遊技機を買い受けてもらうため自己に有利な価格および条件で買い受けてもらうことができなかった。一方、遊技機流通業者は、遊技機の入替ごとに遊技場管理者や倉庫に出向いて中古遊技機を買い付ける必要があった。また、実際の遊技機の撤去を待って買い付けをするために確実かつ早期に、自己が買い付けたい遊技機を買い付けることができなかった。
【０００５】
そこで、本発明は、遊技場管理者にとっては遊技機入替に際して提出する所定の書類を容易に作成することができ、且つ、当該書類の作成と連動して不要になった遊技機をより良い条件で買い受けてもらうことができるとともに、遊技機流通業者にとっては確度の高い遊技機売却予定情報を早期に獲得することができるシステムを提供することを目的とする。
【０００６】
また、遊技機の流通システムにおいては、遊技場管理者が特定の遊技機の売却価格を知るためだけに、売却希望がないのにもかかわらず、あたかも売却を予定しているかのようにシステムへ入力し、遊技機流通業者からの見積もりや買い取り発注を求めることが考えられる。この行為が繰り返されると、システム内に蓄積・流通する情報の信頼性を損なう可能性がある。
【０００７】
そこで、本発明は、遊技場管理者が過去に当該システムでどのような操作を行ったか記録し、この情報を遊技機流通業者に伝達・開示することでことができるシステムを提供することを目的とする。
【課題を解決するための手段】
【０００８】
上記目的を達成するため本発明は、コンピュータ読み取り可能なプログラムによって実行される遊技場管理者と遊技機流通業者間での遊技機の流通を管理するシステムであって、遊技場管理者が遊技機の入替に際して所轄機関に提出する所定の書類に記載すべき事項からなる申請書情報を入力する申請書情報入力手段と、前記申請書情報入力手段により入力された申請書情報に基づいて所定の書式に電子データを作成する処理手段と、電子データが入力された所定の書類を出力する手段からなる書類作成工程と、前記書類作成工程において前記申請書情報入力手段により入力された申請書情報のうち少なくとも撤去予定遊技機情報と新設予定遊技機情報を含む遊技機入替情報を管理サーバーに伝達する手段と、前記管理サーバーに格納または接続されて前記遊技機入替情報を蓄積するデータベースと、前記データベースに蓄積された前記遊技機入替情報より抽出される撤去予定遊技機情報を遊技機流通業者に伝達する撤去予定遊技機情報伝達手段と、前記遊技機流通業者が買取を希望する撤去予定遊技機に対して買取条件を入力する買取条件入力手段と、前記買取条件を前記管理サーバーを介して前記遊技場管理者へ伝達する買取条件伝達手段と、前記買取条件伝達手段により伝達された買取条件を前記遊技場管理者に閲覧可能に表示する表示手段からなる流通管理工程とを備えてなることを特徴とする。
【０００９】
流通管理工程において、複数の遊技場管理者と複数の遊技機流通業者とが管理サーバーに情報伝達可能に接続され、遊技場管理者情報と関連づけてデータベースに蓄積された撤去予定遊技機情報を前記複数の遊技機流通業者に伝達する伝達手段と、遊技機流通業者が買取を希望する撤去予定遊技機情報に対して買取条件を入力する買取条件入力手段と、前記複数の遊技機流通業者から入力された買取条件を前記管理サーバーを介して前記買取条件が入力された撤去予定遊技機情報に対応する遊技機入替情報を伝達した遊技場管理者へ伝達する買取条件伝達手段と、前記買取条件伝達手段により伝達された複数の遊技機流通業者が提示する買取条件を前記遊技場管理者が閲覧可能に表示する表示手段を備えてなることを特徴とする。
【００１０】
複数の遊技機流通業者から入力された買取条件を撤去予定遊技機情報ごとに集計処理する処理手段と、前記集計処理された買取条件を前記買取条件が入力された撤去予定遊技機情報に対応する遊技機入替情報を伝達した遊技場管理者へ伝達する買取条件伝達手段と、前記買取条件伝達手段により伝達された複数の遊技機流通業者が提示する買取条件を前記遊技場管理者に一覧にして比較閲覧可能に表示する表示手段を備えてなることを特徴とする。
【００１１】
買取条件伝達手段により伝達された複数の遊技機流通業者が提示する買取条件を遊技場管理者に一覧にして比較閲覧可能に表示する表示手段は、買取値が高い買取条件から順に一覧表示させる手段からなることを特徴とする。
【００１２】
買取条件伝達手段により伝達された遊技機流通業者が提示する買取条件から、遊技場管理者が希望する買取条件を選択する手段と、前記選択した買取条件を提示した遊技機流通業者に買取の発注を伝達する手段と、前記遊技機流通業者が前記買取の発注に対して買取の合意を伝達する手段を備えてなることを特徴とする。
【００１３】
あらかじめ遊技機流通業者が買取を希望する遊技機の種類情報を入力する入力手段と、前記買取を希望する遊技機の種類情報をデータベースに蓄積する手段と、前記データベースに蓄積された買取を希望する遊技機の種類情報と遊技場管理者より随時伝達される撤去予定遊技機情報とを照合する手段と、前記買取を希望する遊技機の種類情報と前記撤去予定遊技機情報とが合致したとき前記遊技機流通業者に対して前記撤去予定遊技機情報を伝達する手段を備えてなることを特徴とする。
【００１４】
書類作成工程は、遊技場管理者ごとに関連づけて管理サーバーに格納または接続されたデータベースに更新蓄積されている現在遊技機情報を取得する取得手段と、前記取得手段に応じて遊技場管理者に伝達される前記現在遊技機情報に対して撤去予定遊技機情報と新設予定遊技機情報を置換させることにより申請書情報を入力する申請書情報入力手段と、前記入力手段により入力された申請書情報と、管理サーバーまたは遊技場管理者端末に蓄積されている所定の書式情報とを合成して電子データが入力された所定の書類を作成する処理手段と、電子データが入力された所定の書類を遊技場管理者端末に出力する出力手段を備えてなることを特徴とする。
【００１５】
申請書情報入力手段により入力される撤去予定遊技機の種類および台数に関する撤去予定遊技機情報と新設予定遊技機の種類及び台数に関する新設予定遊技機情報をデータベースまたは遊技場管理者端末に蓄積されている変更承認申請書フォームおよび遊技機入替明細書フォームからなる所定の書式情報と合成して、所定の個所に電子データが入力された変更承認申請書および遊技機入替明細書を作成する処理手段と、前記所定の個所に電子データが入力された前記変更承認申請書および前記遊技機入替明細書を遊技場管理者端末に出力する出力手段を備えてなることを特徴とする。
【００１６】
遊技場管理者が遊技機に関する申請書情報を入力する手段において、パチンコ台に関する申請書情報入力画面とスロット台に関する申請書情報入力画面とを切換可能な切換手段を有することを特徴とする。
【００１７】
電子データが入力された所定の書類を遊技場管理者端末と伝達可能に接続された所轄機関端末または所轄機関サーバーへ電子情報伝達する手段を備えてなることを特徴とする。
【００１８】
遊技場管理者および遊技機流通業者が管理サーバーにログインする方法は、あらかじめ遊技場管理者および遊技機流通業者に付与され、遊技場管理者端末および遊技機流通業者に設置された入力手段により入力されるとともに伝達手段により伝達される会員ＩＤと会員パスワードとの組合せ照合手段によるものであることを特徴とする。
【００１９】
遊技場管理者が書類作成工程における申請書作成後に行った前記申請書の取り消し操作を、数値化した申請書取り消し指標としてサーバーに記録するとともに、前記申請書取り消し指標を遊技機流通業者に伝達する手段を備えてなり、遊技機流通業者において該遊技場管理者の申請書取り消し履歴を把握することができることを特徴とする。
【００２０】
申請書取り消し指標は、遊技場管理者における申請書取り消し操作を行った操作回数からなる取り消し回数値または前記取り消し回数値をあらかじめ設定された換算式に基づき得点化した取り消し得点値であることを特徴とする。
【００２１】
申請書取り消し指標は、取り消し回数値または取り消し得点値と取り消し理由項目ごとに設定されている基準値とを演算して得られる取り消し演算値としたことを特徴とする。
【００２２】
遊技機流通業者により遊技機買い取りの合意を行う取引成約操作を、数値化した成約指標としてサーバーに記録するとともに、前記成約指標を遊技機流通業者に伝達する手段を備えてなり、遊技機流通業者において該遊技場管理者の売却成約履歴を把握することができることを特徴とする請求項１乃至１４のいずれかに記載の遊技機流通管理システム。
【００２３】
成約指標は、成約操作の操作回数からなる成約回数値または成約操作回数値をあらかじめ設定された換算式に基づき得点化した成約得点値としたことを特徴とする。
【００２４】
成約指標は、成約操作回数値または成約得点値と成約理由項目および成約破棄理由項目ごとに設定される基準値とを演算して得られる成約演算値としたことを特徴とする。
【００２５】
成約指標における成約理由および成約破棄理由項目ごとに設定される基準値は、遊技場管理者が売却の見積り受領後に買い取り発注の可否結果を伝達しなかった回数をあらかじめ設定した換算式に基づき得点化した値とし、前記値を成約回数値または成約得点値より減算してなることを特徴とする。
【発明の効果】
【００２６】
コンピュータ読み取り可能なプログラムによって実行される遊技場管理者と遊技機流通業者間での遊技機の流通を管理するシステムであって、遊技場管理者が遊技機の入替に際して所轄機関に提出する所定の書類に記載すべき事項からなる申請書情報を入力する申請書情報入力手段と、前記申請書情報入力手段により入力された申請書情報に基づいて所定の書式に電子データを作成する処理手段と、電子データが入力された所定の書類を出力する手段からなる書類作成工程と、前記書類作成工程において前記申請書情報入力手段により入力された申請書情報のうち少なくとも撤去予定遊技機情報と新設予定遊技機情報を含む遊技機入替情報を管理サーバーに伝達する手段と、前記管理サーバーに格納または接続されて前記遊技機入替情報を蓄積するデータベースと、前記データベースに蓄積された前記遊技機入替情報より抽出される撤去予定遊技機情報を遊技機流通業者に伝達する撤去予定遊技機情報伝達手段と、前記遊技機流通業者が買取を希望する撤去予定遊技機に対して買取条件を入力する買取条件入力手段と、前記買取条件を前記管理サーバーを介して前記遊技場管理者へ伝達する買取条件伝達手段と、前記買取条件伝達手段により伝達された買取条件を前記遊技場管理者に閲覧可能に表示する表示手段からなる流通管理工程とを備えてなることにより、遊技場管理者は、遊技機入替に際して必要事項をフォームに従って入力するだけで所轄機関に提出する変更承認申請書および遊技機入替明細書等の所定の書類を容易に作成することができる。
【００２７】
また、所轄機関に提出する所定の書類の作成のために入力した申請書情報から遊技機流通業者に伝達される撤去予定遊技機情報が抽出されるので、遊技機の買取のために新たな情報を入力する必要がない。一方、遊技機流通業者にとっては、実際の遊技機入替日の数日前には所轄機関に提出する公的な所定の書類の作成のために入力される申請書情報に基づいて撤去予定遊技機情報を得ることができる。結果として遊技機流通業者が確度の高い遊技機撤去予定情報を早期に獲得することができ、かつ、、遊技場管理者がより良い条件の遊技機流通業者を迅速に探すことができる。また、遊技場管理者および遊技機流通業者間では、実際の入替日より前に撤去予定遊技機の売買を行うことができる。その結果として、例えば入替日当日に遊技機流通業者が遊技機を買い付けに行くことも可能で、撤去された遊技機を保管する場所を確保する必要がない。
【００２８】
流通管理工程において、複数の遊技場管理者と複数の遊技機流通業者とが管理サーバーに情報伝達可能に接続され、遊技場管理者情報と関連づけてデータベースに蓄積された撤去予定遊技機情報を前記複数の遊技機流通業者に伝達する伝達手段と、遊技機流通業者が買取を希望する撤去予定遊技機情報に対して買取条件を入力する買取条件入力手段と、前記複数の遊技機流通業者から入力された買取条件を前記管理サーバーを介して前記買取条件が入力された撤去予定遊技機情報に対応する遊技機入替情報を伝達した遊技場管理者へ伝達する買取条件伝達手段と、前記買取条件伝達手段により伝達された複数の遊技機流通業者が提示する買取条件を前記遊技場管理者が閲覧可能に表示する表示手段を備えてなることにより、上記効果に加え、遊技場管理者は所定の書類を容易に作成することと連動して、撤去予定遊技機に対する複数の遊技機流通業者の買取条件を知ることができ、結果として複数の遊技機流通業者の中から、より高い価格、より良い条件で買い受けてくれる遊技機流通業者を選択することができる。一方、遊技機流通業者は、複数の遊技場管理者の確度の高い遊技機売却予定情報を実際の遊技機撤去前に早期に獲得することができる。結果として複数の遊技場管理者と複数の遊技機流通業者間で互いに希望する条件、またこれに近い条件で遊技機の売買を行うことができる。
【００２９】
複数の遊技機流通業者から入力された買取条件を撤去予定遊技機情報ごとに集計処理する処理手段と、前記集計処理された買取条件を前記買取条件が入力された撤去予定遊技機情報に対応する遊技機入替情報を伝達した遊技場管理者へ伝達する買取条件伝達手段と、前記買取条件伝達手段により伝達された複数の遊技機流通業者が提示する買取条件を前記遊技場管理者に一覧にして比較閲覧可能に表示する表示手段を備えてなることにより、遊技場管理者は複数の遊技機流通業者からの買取条件を合い見積もりすることができ、より高い価格、より良い条件で買い受けてくれる遊技機流通業者を容易に見つけることができる。
【００３０】
買取条件伝達手段により伝達された複数の遊技機流通業者が提示する買取条件を前記遊技場管理者に一覧にして比較閲覧可能に表示する表示手段は、買取値が高い買取条件から順に一覧表示させる手段からなることにより、遊技場管理者は複数の遊技機流通業者からの買取条件の中から、より高い価格で買い受けてくれる遊技機流通業者を容易に選択することができる。
【００３１】
買取条件伝達手段により伝達された遊技機流通業者が提示する買取条件から、遊技場管理者が希望する買取条件を選択する手段と、前記選択した買取条件を提示した遊技機流通業者に買取の発注を伝達する手段と、前記遊技機流通業者が前記買取の発注に対して買取の合意を伝達する手段を備えてなることにより、撤去予定遊技機の売買契約までを一貫して行うことができる。
【００３２】
あらかじめ遊技機流通業者が買取を希望する遊技機の種類情報を入力する入力手段と、前記買取を希望する遊技機の種類情報をデータベースに蓄積する手段と、前記データベースに蓄積された買取を希望する遊技機の種類情報と遊技場管理者より随時伝達される撤去予定遊技機情報とを照合する手段と、前記買取を希望する遊技機の種類情報と前記撤去予定遊技機情報とが合致したとき前記遊技機流通業者に対して前記撤去予定遊技機情報を伝達する手段を備えてなることにより、遊技機流業者が買取を希望する遊技機について撤去予定遊技機情報が遊技場管理者より伝達されたときには、当該遊技機流通業者はいち早く情報を察知し、当該撤去予定遊技機に対して買取条件を提示することができる。
【００３３】
書類作成工程は、遊技場管理者ごとに関連づけて管理サーバーに格納または接続されたデータベースに更新蓄積されている現在遊技機情報を取得する取得手段と、前記取得手段に応じて遊技場管理者に伝達される前記現在遊技機情報に対して撤去予定遊技機情報と新設予定遊技機情報を置換させることにより申請書情報を入力する申請書情報入力手段と、前記入力手段により入力された申請書情報と、管理サーバーまたは遊技場管理者端末に蓄積されている所定の書式情報とを合成して電子データが入力された所定の書類を作成する処理手段と、電子データが入力された所定の書類を遊技場管理者端末に出力する出力手段を備えてなることにより、遊技場管理者は全ての申請書情報を入力する必要がなく、現在設置されている遊技機の情報のうち撤去予定遊技機情報と新設予定遊技機情報を置換させるだけで、容易に所定の書類を作成することができる。
【００３４】
申請書情報入力手段により入力される撤去予定遊技機の種類および台数に関する撤去予定遊技機情報と新設予定遊技機の種類及び台数に関する新設予定遊技機情報をデータベースまたは遊技場管理者端末に蓄積されている変更承認申請書フォームおよび遊技機入替明細書フォームからなる所定の書式情報と合成して、所定の個所に電子データが入力された変更承認申請書および遊技機入替明細書を作成する処理手段と、前記所定の個所に電子データが入力された前記変更承認申請書および前記遊技機入替明細書を遊技場管理者端末に出力する出力手段を備えてなることにより、容易に所轄機関、即ち、所轄公安委員会に提出すべき変更承認申請書および遊技機入替明細書を作成することができる。
【００３５】
遊技場管理者が遊技機に関する申請書情報を入力する手段において、パチンコ台に関する申請書情報入力画面とスロット台に関する申請書情報入力画面とを切換可能な切換手段を有することにより、一般に遊技場管理者が管理している遊技機であるパチンコ台およびスロット台についての申請書情報を容易に入力することができる。
【００３６】
電子データが入力された所定の書類を遊技場管理者端末と伝達可能に接続された所轄機関端末または所轄機関サーバーへ電子情報伝達する手段を備えてなることにより、所定の書類を電子情報により所轄機関へ伝達することができ、容易かつ迅速に所定の書類を提出することができる。
【００３７】
遊技場管理者および遊技機流通業者が管理サーバーにログインする方法は、あらかじめ遊技場管理者および遊技機流通業者に付与され、遊技場管理者端末および遊技機流通業者に設置された入力手段により入力されるとともに伝達手段により伝達される会員ＩＤと会員パスワードとの組合せ照合手段によるものであることにより、当該システムのセキュリティーを維持することが可能であるとともに、当該会員ＩＤにより遊技場管理者および遊技機流通業者を識別することができる。
【００３８】
遊技場管理者が書類作成工程における申請書作成後に行った前記申請書の取り消し操作を数値化した申請書取り消し指標としてサーバーに記録するとともに、前記申請書取り消し指標を遊技機流通業者に伝達する手段を備えてなり、遊技機流通業者において該遊技場管理者の申請書取り消し履歴を把握することができることにより、遊技場管理者において自ら所有しない機種や、自ら所有しない台数の遊技機の売却をあたかも希望しているように装い、所轄機関への申請書類を一旦作成し、見積り取得後、当該作成した申請書類を取り消す操作を行ったこと等の事実を、遊技場流通業者は知ることが可能で、遊技機流通業者は、自己が遊技機を買い付けようとする遊技場管理者の信頼性を知ることができる。ひいては、遊技場管理者は、実際に売却することができる遊技機の種類および遊技機の台数をシステムに入力することとなる。したがって、実際に流通される遊技機の機種および台数がシステム上の機種および台数と正しく合致し、遊技場管理者と遊技機流通業業者間でのシステムの信頼性が高まる。
【００３９】
申請書取り消し指標は、遊技場管理者における申請書取り消し操作を行った操作回数からなる取り消し回数値または前記取り消し回数値をあらかじめ設定された換算式に基づき得点化した取り消し得点値であることにより、遊技機流通業者は、遊技場管理者における取り消し操作の事実を、取り消し回数や得点等の数値により知ることできる。
【００４０】
申請書取り消し指標は、取り消し回数値または取り消し得点値と取り消し理由項目ごとに設定されている基準値とを演算して得られる取り消し演算値としたことにより、申請書類作成後に行った取り消し操作が、例えば、遊技機の入荷停止等に伴う、やむをえなく発生することを理由とするものであれば当該項目に対しては取り消し演算値が上がる結果となる基準値を設定し、遊技場管理者自身の都合を理由とするものであれば当該項目に対しては取り消し演算値が下がる結果となる基準値を設定し、また一定期間内に何度も取り消し操作を繰り返した場合にも取り消し演算値が下がる結果となる基準値を設定することにより、取り消し理由によって申請書取り消し指標に差をつけることが可能になる。
【００４１】
遊技機流通業者により遊技機買い取りの合意を行う取引成約操作を、数値化した成約指標としてサーバーに記録するとともに、前記成約指標を遊技機流通業者に伝達する手段を備えてなり、遊技機流通業者において該遊技場管理者の売却成約履歴を把握することができることにより、遊技機流通業者は、遊技場管理者との取引先である遊技機流通業者が操作した指標という信頼できる売却成約情報を得ることができ、信頼できる情報から成約件数の多い遊技場管理者を知ることができる。したがって、遊技場管理者と遊技機流通業業者間でのシステムの信頼性が高まる。
【００４２】
成約指標は、遊技場管理者による買い取りの発注と遊技機流通業者による買い取りの合意からなる成約操作の操作回数からなる成約回数値または成約操作回数値をあらかじめ設定された換算式に基づき得点化した成約得点値としたことにより、遊技機流通業者は、遊技場管理者における成約操作の事実を数値により知ることできる。
【００４３】
成約指標は、成約操作回数値または成約得点値と成約理由項目および成約破棄理由項目ごとに設定される基準値とを演算して得られる成約演算値としたことにより、例えば、成約破棄が遊技機流通業者の都合を理由とするものであれば当該項目に対しては成約演算値が上がる結果となる基準値設定し、遊技場管理者の都合によるものであれば当該項目に対しては成約演算値が下がる結果となる基準値を設定し、成約理由、成約破棄理由によって成約指標に差をつけることが可能になる。
【００４４】
成約指標における成約理由および成約破棄理由項目ごとに設定される基準値は、遊技場管理者が売却の見積り受領後に買い取り発注の可否結果を伝達しなかった回数をあらかじめ設定した換算式に基づき得点化した値とし、前記値を成約回数値または成約得点値より減算してなることにより、見積り受領後に円滑に成約の可否を確定させないまま放置する遊技場管理者を遊技機流通業者は知ることができる。ひいては、遊技場管理者は、成約を円滑に行うこととなり、遊技場管理者と遊技機流通業業者間でのシステムの信頼性が高まる。
【発明を実施するための最良の形態】
【００４５】
図１は本発明の第一の実施の形態を示す遊技機流通管理システムの構成図、図２は本発明のシステムのブロック図、図３は遊技場管理者が本発明のシステムにおいて入力手段により申請書情報を入力するための入力表示画像、図４は本発明のシステムにおいて出力手段により出力される変更承認申請書の例、図５は本発明のシステムにおいて出力手段により出力される遊技機入替明細書の例、図６は本発明の第二の実施の形態を示す遊技機流通管理システムの構成図である。
【００４６】
本発明のシステムは、図１に示すようにパチンコ店舗または複数のパチンコ店舗を有する遊技業グループとしての遊技場管理者、パチンコ台、スロット台等の遊技機を買い付けて流通させる遊技機流通業者、これらを通信回線により接続してなる管理サーバー１とで構成され、遊技場管理者に設置される遊技場管理者端末２、遊技機流通業者に設置される遊技機流通業者端末３が管理サーバー１に通信可能に接続されてなるシステムである。
【００４７】
中央演算処理手段ＣＰＵとこれに論理付けられる各種データベースからなる管理サーバー１には、複数の遊技場管理者端末２および複数の遊技機管理業者端末３から伝達される各種情報を遊技場管理者および遊技場管理業者の会員ＩＤごとに関連づけて蓄積するデータベースが格納されており、具体的には、遊技機入替情報を蓄積するデータベースと、買取条件を蓄積するデータベース、所定の書類のフォーマットを蓄積するデータベースが格納されている。また、遊技場管理者端末２および遊技機流通業者端末３から伝達される入力信号または所定のプログラムに応じてデータベースに蓄積された各種データを演算する演算装置が格納されている。
【００４８】
遊技場管理者端末２は、あらかじめ本発明の遊技機流通管理システムの会員となり会員ＩＤを取得した遊技場管理者の施設に設置されるハードディスク、キーボード、モニター、プリンター、ファクシミリ等からなる入出力装置である。この遊技場管理者端末２は、管理サーバー１へ通信回線を介して接続される。通信回線はインターネット網であってもよいし、専用線によるサーバー間伝送回線を敷設してもよく、例えばＨＵＬＦＴやＴＣＰ/ＩＰ等の伝送方式を使用する。また、伝送機能には例えばセキュリティ確保用装置、ネットワーク中継機器を介在させてもよい。また、通信手段にはＳＳＬと呼ばれる暗号通信方式等を用いて情報伝達するようになっている。
【００４９】
遊技機流通業者端末３は、あらかじめ本発明の遊技機流通管理システムの会員となり会員ＩＤを取得した遊技機流通業者の施設に設置されるハードディスク、キーボード、モニター、プリンター、ファクシミリ等からなる入出力装置である。この遊技機流通業者２は、管理サーバー１へ通信回線を介して接続される。通信回線はインターネット網であってもよいし、専用線によるサーバー間伝送回線を敷設してもよく、例えばＨＵＬＦＴやＴＣＰ/ＩＰ等の伝送方式を使用する。また、伝送機能には例えばセキュリティ確保用装置、ネットワーク中継機器を介在させてもよい。また、必要に応じて管理サーバー１、遊技場管理者端末２を所定の書類を提出する所轄機関に設置された不図示の所轄機関サーバまたは所轄機関端末と接続してもよい。また、通信手段にはＳＳＬと呼ばれる暗号通信方式等を用いて情報伝達するようになっている。
【００５０】
本発明の第一の実施の形態について説明する。本発明の遊技機流通管理システムは書類作成工程としての書類作成ユニット（Ａ）と、流通管理工程としての流通管理ユニット（Ｂ）とからなり、書類作成ユニット（Ａ）で入力された申請書情報に基づいて、流通管理ユニット（Ｂ）が動作する仕組みになっている。
【００５１】
書類作成ユニット（Ａ）は、遊技場管理者が遊技機の入替に際して所轄機関に提出する所定の書類に記載すべき事項としての遊技場管理者の名称、住所、撤去予定の遊技機の種類、製造者名、形式名、台数等の撤去予定遊技機情報、新設予定の遊技機の種類、製造者名、形式名、台数等の新設予定遊技機情報等からなる申請書情報入力手段と、申請書情報入力手段により入力された申請書情報に基づいて所定のフォーマットに入力された申請情報を合成して電子データを作成する手段と、電子データが入力された所定の書類をモニター、プリンター等に出力する手段からなる。
【００５２】
詳細には、遊技場管理端末２より会員ＩＤおよび会員パスワードを管理サーバーに伝達しシステムにログインすると、このログイン信号により遊技場管理端末２には図３に示す入力表示画像が表示手段により表示される。この入力表示画像において遊技台データ取得信号を入力することにより、遊技場管理者に関連づけて管理サーバーに格納または接続されたデータベースに更新蓄積されている当該時点における遊技場管理者の施設に設置されている遊技機の種類、台数等を示す現在遊技機情報が取得され、図３に示すように遊技場管理者端末２に一覧表示される。この一覧表示された現在遊技機情報に対して撤去予定の遊技機の種類、製造者名、形式名、台数を入力手段により選択または入力し、同時に撤去予定の遊技機に替えて設置する新設予定の遊技機の種類、製造者名、形式名、台数を選択または入力して遊技機情報を入れ替えると、月日、名称、住所等所定のデータ情報は管理サーバー１に蓄積またはあらかじめ遊技場管理者端末２にインストールされている変更承認申請書フォーマットと処理装置により合成されて所定の欄に月日、名称、住所等所定の事項が電子データ入力され、当該データが入力された状態の図４に示す変更承認申請書が遊技場管理者端末２に出力されるシステムが構築されている。
【００５３】
また、新設予定の遊技機情報と撤去予定の遊技機情報とを入れ替えると演算ソフトウェアにより自動的に新設予定の遊技機情報と撤去予定の遊技機情報とが置換されて撤去予定の遊技機と新設予定の遊技機が差し替えられた状態の遊技機入替明細書データ情報が作成される。当該新設予定の遊技機が差し替えられた状態の遊技機入替明細書データ情報と管理サーバー１に蓄積またはあらかじめ遊技場管理者端末２にインストールされている遊技機入替明細書のフォーマットとが処理装置により合成されて所定の欄に、遊技機の種類、製造者名、形式名、台数等の所定の事項が電子データが入力され当該新設予定の遊技機が新設された新状態が反映された状態の図５に示す遊技機入替明細書を遊技場管理者端末２に出力されるシステムが構築されている。
【００５４】
撤去前の旧状態を示す遊技機入替明細書の作成は、現在遊技機情報と遊技機入替明細書のフォーマットとが処理装置により合成され、各書類の所定の欄に所定の事項が電子データが入力された状態で遊技場管理者端末２に出力されるシステムが構築されている。さらに、新設予定の遊技機が新設された状態の遊技機の種類、製造業者名、形式名、台数等所定のデータが反映された状態のデータを管理サーバー１にフィードバック伝達し新たな現在遊技機情報としてデータベースに更新蓄積するようにシステム構築されている。尚、名称、住所等固定情報については初回に入力するだけでデータベースに記憶され、次回以降は予め入力された状態で遊技場管理者端末２に出力されるようにしてもよい。
【００５５】
また、遊技場管理端末２には図３に示す入力表示画像は、切換手段によりパチンコ台用入力画面とスロット台用入力画面に切換可能としてもよい。また、入力された申請書情報と取得された現在遊技機情報また、当該変更承認申請書および遊技機入替明細書の電子情報を必要に応じて不図示の所轄機関サーバーまたは所轄機関端末へ伝達してもよい。尚、書類作成ユニット（Ａ）において作成される所定の書類は変更承認申請書および遊技機入替明細書に限られるものではなく、変更届出書、封印シール番号対照一覧表、島図、ＡＭマーク除却届出書、ＡＭマーク貼付届出書、ＡＭマーク貼付申請遊技機の形式名簿、ＡＭマーク貼付遊技機明細表等他の書類のフォーマットを蓄積し、これに所定事項を合成するシステムを付加してもよい。
【００５６】
流通管理ユニット（Ｂ）は、書類作成ユニット（Ａ）で入力された申請書情報に基づいて動作するようにシステム構築されていて、書類作成ユニット（Ａ）において申請書情報入力手段により入力された申請書情報のうち少なくとも撤去予定の遊技機の種類、台数に関する撤去予定遊技機情報と新設予定の遊技機の種類、台数に関する新設予定遊技機情報を含む遊技機入替情報を遊技場管理者端末２より管理サーバー１に伝達する手段と、管理サーバー１に格納または接続されて前記遊技機入替情報を蓄積するデータベースと、データベースに蓄積された遊技機入替情報より抽出される撤去予定遊技機情報を遊技機流通会社端末３に伝達する撤去予定遊技機情報伝達手段と、遊技機流通業者が買取を希望する撤去予定遊技機に対して買取条件を入力する買取条件入力手段と、入力された買取条件を管理サーバー１を介して前記遊技場管理者へ伝達する買取条件伝達手段と、前記買取条件伝達手段により伝達された買取条件を遊技場管理者端末２に閲覧可能に表示する表示手段からなる。
【００５７】
詳細には、書類作成ユニット（Ａ）において遊技場管理者が遊技場管理者端末２の入力画面より申請書情報を入力すると申請書情報のうち少なくとも撤去予定の遊技機の種類、台数に関する撤去予定遊技機情報と新設予定の遊技機の種類、台数に関する遊技機情報を含む遊技機入替情報が会員ＩＤと関連づけて管理サーバー１へ伝達され（Ｈ１１）、会員ＩＤと関連づけてデータベースに蓄積される。データベースに蓄積された遊技機入替情報から演算装置により抽出された撤去予定遊技機情報は、遊技場管理者ごと、または遊技機の種類ごと、または入替予定月日ごとに、集計リスト化されて遊技機流通業者端末３へ、遊技機流通業者端末３のログイン画面への表示、その他必要に応じて電子メール送信、ファクシミリ送信等各種伝達手段により伝達される（１１）、伝達されたリストが表示手段により遊技機流通業者端末３へ表示されると（Ｂ１１）、遊技機流通業者はリスト中から買取を希望する撤去台を選択するとともに買取見積価格等の買取条件を入力手段により入力し（Ｂ２１）、入力された買取条件は管理サーバー１伝達され（３１）、申請書情報を入力した遊技場管理者端末２のログイン画面への表示、その他必要に応じて電子メール送信、ファクシミリ送信等各種伝達手段によりフィードバック伝達されるとともに閲覧可能に表示されるよう（Ｈ３１）システムが構築されている。また、遊技場管理者端末２において、あらかじめ希望買取条件を入力しこれを撤去予定遊技機情報とともに遊技機流通業者端末３へ伝達するシステム（Ｈ２１）、管理サーバー１を介して遊技場管理者端末２へ伝達された買取条件に対してさらに買取希望条件を入力し伝達するシステム（Ｈ２２）を構築してもよい。
【００５８】
また、上記システムに付随させて遊技場管理者端末２に伝達された遊技機流通業者が提示する買取条件から、遊技場管理者が希望する買取条件を選択し、当該選択の入力が管理サーバー１を介して当該買取条件を提示した遊技機流通業者端末３へと伝達されると、これに対応して遊技機流通業者端末３から見積書を例えばファクシミリ等の遊技場管理者端末２へ伝達するシステム（Ｂ１３Ｆ）、発注書を例えばファクシミリ等の遊技場管理者端末２へ伝達するシステム（Ｂ３２Ｆ）、遊技場管理者端末２より記入済みの発注書を返送するシステム（Ｈ３２Ｆ）からなる見積書および発注書伝達システムを構築してもよい。
【００５９】
また、上記見積書および発注書伝達システムに替えて、買取条件伝達手段により伝達された遊技機流通業者が提示する買取条件から、遊技場管理者端末２において遊技場管理者が希望する買取条件を選択するシステム、選択した買取条件を提示した遊技機流通業者の遊技機流通業者端末３に買取の発注を伝達するシステムと、遊技機流通業者端末３から買取の発注に対して買取の合意を伝達するシステムを備えてなり、あらかじめデータベースに蓄積された契約書フォーマットに基づいて契約書を作成するシステムを構築してもよい。
【００６０】
本発明の第二の実施の形態について説明する。第二の実施の形態においては、図６に示すように複数の遊技場管理者と複数の遊技機流通業者が管理サーバー１により統括されているシステムであって、あらかじめ本発明の遊技機流通管理システムの会員となり個別の会員ＩＤを取得した複数の遊技場管理者端末２１、２２、２ｎと複数の遊技機流通業者端末３１、３２、３ｎが管理サーバー１に接続されている。本発明の遊技機流通管理システムは図２に示すように書類作成工程としての書類作成ユニット（Ａ）と、流通管理工程としての流通管理ユニット（Ｂ）とからなり、書類作成ユニット（Ａ）で入力された申請書情報に基づいて、流通管理ユニット（Ｂ）が動作する仕組みになっている。書類作成ユニット（Ａ）のシステム構成は第一の実施の形態に示すシステムと同様である。
【００６１】
流通管理ユニット（Ｂ）は、書類作成ユニット（Ａ）で入力された申請書情報に基づいて動作するように構築されていて、書類作成ユニット（Ａ）において遊技場管理端末２１、２２、２ｎから申請書情報入力手段により入力された申請書情報のうち少なくとも撤去予定遊技機情報と新設予定遊技機情報を含む遊技機入替情報を遊技場管理者端末２より管理サーバー１に伝達する手段と、遊技機入替情報を蓄積するデータベースと、各遊技場管理者情報と関連づけてデータベースに蓄積された撤去予定遊技機情報を遊技機流通業者端末３１、３２、３ｎに伝達する伝達手段と、遊技機流通業者が買取を希望する撤去予定遊技機情報に対して買取条件を入力する買取条件入力手段と、遊技機流通業者端末３１、３２、３ｎから入力された買取条件を管理サーバー１を介して買取条件が入力された撤去予定遊技機情報に対応する遊技機入替情報伝達した遊技場管理者２１へ伝達する買取条件伝達手段と、買取条件伝達手段により伝達された遊技機流通業者端末３１、３２、３ｎから提示された買取条件を遊技場管理者端末３１に閲覧可能に表示する表示手段を備えてなる。
【００６２】
詳細には、書類作成ユニット（Ａ）において遊技場管理者端末２１の入力画面より申請書情報を入力すると申請書情報のうち少なくとも撤去予定遊技機情報と新設予定遊技機情報を含む遊技機入替情報が管理サーバー１へ伝達され（Ｈ１１）、遊技場管理者端末２１の会員ＩＤと関連づけてデータベースに蓄積される。また、遊技場管理者端末２２の入力画面より申請書情報を入力すると申請書情報のうち少なくとも撤去予定遊技機情報と新設予定遊技機情報を含む遊技機入替情報が管理サーバー１へ伝達され（Ｈ１１）、遊技場管理者端末２２の会員ＩＤと関連づけてデータベースに蓄積される。このように遊技場管理者端末２ｎの入力画面より申請書情報を入力すると申請書情報のうち少なくとも撤去予定遊技機情報と新設予定遊技機情報を含む遊技機入替情報が管理サーバー１へ伝達され（Ｈ１１）、遊技場管理者端末２ｎの会員ＩＤと関連づけてそれぞれデータベースに蓄積される。このように随時データベースに蓄積された遊技機入替情報から抽出手段により抽出された撤去予定遊技機情報は、遊技場管理者ごと、または遊技機の種類ごと、または入替予定月日ごとに、演算装置により集計リスト化されて遊技機流通業者端末３１、３２、３ｎのログイン画面への表示、その他必要に応じて電子メール送信、ファクシミリ送信等各種伝達手段により遊技機流通業者へと伝達される（１１）。
【００６３】
伝達されたリストが表示手段により遊技機流通業者端末３１、３２、３ｎへ表示されると（Ｂ１１）、遊技機流通業者はリスト中から買取を希望する撤去台、例えば、遊技場管理者端末２１より入力された撤去台Ａの撤去予定遊技機情報に対して遊技機流通業者端末３１から買取見積価格等の買取条件を入力手段により入力すると（Ｂ２１）、入力された買取条件は管理サーバー１へと伝達され（３１）、撤去台Ａの撤去予定遊技機情報を伝達した遊技場管理者端末２１に対して遊技機流通業者端末３１から伝達された買取条件が遊技機流通業者情報とともに伝達され遊技場管理者端末２１に表示される（Ｈ３１）。同様に、撤去台Ａの撤去予定遊技機情報に対して遊技機流通業者端末３２から買取見積価格等の買取条件を入力手段により入力されると（Ｂ２１）、入力された買取条件は管理サーバー１へ伝達され（３１）、撤去台Ａの撤去予定遊技機情報を伝達した遊技場管理者端末２１に対して遊技機流通業者端末３２から伝達された買取条件が遊技機流通業者情報とともに伝達され表示される（Ｈ３１）。この伝達が遊技機流通業者端末と遊技場管理業者との間で複数回繰り返されるシステムが構築されている。また、遊技場管理者端末２において、あらかじめ希望買取条件を入力し伝達するシステム（Ｈ２１）、管理サーバー１から伝達された買取条件に対してさらに買取希望条件を入力し伝達するシステム（Ｈ２２）を構築してもよい。
【００６４】
また、上述した買取条件の伝達を遊技機流通業者端末と遊技場管理業者との間で複数回繰り返されるシステムに替えて、複数の遊技機流通業者端末３１、３２、３ｎから入力された買取条件を撤去予定遊技機情報または遊技台ごとに管理サーバー１に格納された演算装置により集計処理する処理するシステムを構築し、集計処理された複数の遊技機流通業者端末３１、３２、３ｎから各々入力伝達された買取条件を買取条件が提示された撤去予定遊技機情報に対応する遊技機入替情報を伝達した遊技場管理者端末２１へ伝達し、伝達された複数の遊技機流通業者端末３１、３２、３ｎが提示する買取条件を遊技場管理者端末２１に一覧にして比較閲覧可能に表示する表示するシステムを構築してもよい。この一覧において買取値が高い買取条件を自動的に認識させて、高い買取値を提示した遊技場管理業者の情報がリスト表示の上方に位置するように順に一覧表示させるシステムを付加してもよい。
【００６５】
また、上記システムに付随させて遊技場管理者端末２１に伝達された遊技機流通業者が提示する買取条件から、遊技場管理者が希望する買取条件を提示する遊技機流通業者選択し、当該選択が管理サーバー１を介して当該買取条件を提示した遊技機流通業者端末３１へと伝達されると、これに対応して遊技機流通業者端末３１から見積書を例えばファクシミリ等の遊技場管理者端末２へ伝達する手段（Ｂ１３Ｆ）、発注書を例えばファクシミリ等の遊技場管理者端末２へ伝達する手段（Ｂ３２Ｆ）、遊技場管理者端末２より記入済みの発注書を返送する手段（Ｈ３２Ｆ）からなる見積書および発注書伝達システムを構築してもよい。
【００６６】
また、上記見積書および発注書伝達システムに替えて、買取条件伝達手段により伝達された遊技機流通業者が提示する買取条件から、遊技場管理者端末２１において遊技場管理者が希望する買取条件を選択する手段と、選択した買取条件を提示した遊技機流通業者の遊技機流通業者端末３１に買取の発注を伝達する手段と、遊技機流通業者端末３１から買取の発注に対して買取の合意を伝達する手段を備えてなり、あらかじめデータベースに蓄積された契約書フォームに基づいて契約書を作成するシステムを構築してもよい。
【００６７】
さらに、あらかじめ遊技機流通業者が買取を希望する遊技機の種類情報および台数情報等を入力する入力手段と、買取を希望する遊技機の種類情報および台数情報等を蓄積するデータベースを管理サーバー１に格納し、このデータベースに蓄積された買取を希望する遊技機の種類情報と遊技場管理者より随時伝達される撤去予定遊技機情報とを、双方からの情報が入力されるたびに演算装置により照合処理し、買取を希望する遊技機の種類情報と撤去予定遊技機情報とが合致したとき買取希望を伝達した遊技機流通業者端末に対して撤去予定遊技機情報を伝達するシステムを付加してもよい。
【００６８】
次に、本発明のシステムにおける、取り消し操作伝達・開示工程について説明する。取り消し操作伝達・開示工程は、遊技場管理者端末２において書類作成工程における申請書作成後に行った前記申請書の取り消し操作を数値化した申請書取り消し指標として管理サーバー１に集計記録するとともに、前記申請書取り消し指標を遊技機流通業者端末３に伝達・開示する手段を備えてなり、遊技機流通業者端末３において該遊技場管理者の申請書取り消し履歴を把握する工程である。
【００６９】
申請書取り消し指標は、遊技場管理者における申請書取り消し操作を行った操作回数をカウントしこの値をそのまま取り消し回数値として管理サーバー１に蓄積してもよいし、取り消し回数値に対してあらかじめ管理サーバー１内に設定しておいた換算式に基づき取り消し得点値の演算を行いこれを蓄積してもよい。例えば、取り消し操作１回につき−１０点のように得点化した取り消し得点値を、永続的にまたは一定期間、管理サーバー１に蓄積するとともに、遊技場管理者情報として遊技機流通業者端末３に伝達表示するようになっている。
【００７０】
また、上述した申請書取り消し指標を発展させたものとしては、取り消し回数値または取り消し得点値と、取り消し理由項目ごとに設定されている基準値とを組合せ演算して得られる取り消し演算値がある。遊技場管理者端末２における取り消し操作時には、取り消しの理由の項目を自ら、または自動的に選択するようになっていて、取り消し回数値または取り消し得点値と選択された基準値とを組合せて演算されるようになっている。例えば、遊技機の入荷停止に伴いやむをえなく発生する取り消しを理由とするものであれば、当該項目の選択に対しては取り消し演算値の値が上がる（良くなる）基準値、例えば＋５点が設定されており、当該基準値と取り消し得点値との組合せによる演算が行われ、１回の取り消し得点値−１０点に基準値＋５点を加算する演算を行い取り消し演算値は−５点となる。一方、遊技場管理者自身の都合を理由とするものであれば当該項目に対しては取り消し演算値が下がる（悪くなる）基準値、例えば−５点が設定されていて、１回の取り消し得点値−１０点に−５点を加算して取り消し演算値は−１５点となる。また一定期間内に何度も取り消し操作を繰り返した場合には、自動的に取り消し演算値の値を下げる結果となる基準値が選択されるようになっている。このように、取り消し理由によって申請書取り消し指標に差をつけることが可能になっている。
【００７１】
次に、本発明のシステムにおける、成約操作伝達・開示工程について説明する。成約操作伝達・開示工程は、遊技機流通業者端末３から入力される取引成約操作を数値化した成約指標として管理サーバー１に集計記録するとともに、成約指標を遊技機流通業者端末３に伝達・開示する手段を備えてなり、遊技機流通業者において該遊技場管理者の売却成約履歴を把握する工程である。
【００７２】
成約指標は、遊技場管理者による買い取りの発注と遊技機流通業者による買い取りの合意の後に遊技機流通業者端末３から入力される成約操作の操作回数をカウントし、この値をそのまま成約回数値として管理サーバー１に蓄積してもよいし、成約操作回数値をあらかじめ設定された換算式に基づき得点化した成約得点値としてもよい。例えば、成約操作１回につき＋１０点のように得点化した成約得点値を、永続的または一定期間、管理サーバー１に蓄積するとともに、遊技場管理者情報として遊技機流通業者端末３に伝達表示するようになっている。
【００７３】
また、上述した成約指標を発展させたものとしては、成約操作回数値または成約得点値と成約理由項目および成約破棄理由項目ごとに設定される基準値とを演算して得られる成約演算値がある。例えば、成約破棄が遊技機流通業者端末３側から操作されたものであれば、当該項目に対しては成約演算値が上がる（良くなる）結果となる基準値設定し成約演算値を得る。尚、このとき遊技機流通業者情報として、遊技機流通業者側の成約演算値が下がる（悪くなる）結果となる基準値を設定し集計し記録してもよい。
【００７４】
さらに、成約回数値成約理由および成約破棄理由項目ごとに設定される基準値は、遊技場管理者が売却の見積り受領後に買い取り発注の可否結果を伝達しなかった回数値をあらかじめ設定した換算式に基づき得点化した値とし、前記値を成約操作回数値より減算してなることにより、当該情報の公開により見積り受領後に円滑に成約の可否を確定させないまま放置する遊技場管理者を遊技機流通業者は知ることができるようになっている。
【図面の簡単な説明】
【００７５】
【図１】本発明の第一の実施の形態を示す遊技機流通管理システムの構成図。
【図２】本発明のシステムのブロック図。
【図３】遊技場管理者が本発明のシステムにおいて入力手段により申請書情報を入力するための入力表示画像模式図。
【図４】本発明のシステムにおいて出力手段により出力される変更承認申請書の模式図。
【図５】本発明のシステムにおいて出力手段により出力される遊技機入替明細書の模式図。
【図６】本発明の第二の実施の形態を示す遊技機流通管理システムの構成図。
【符号の説明】
【００７６】
１  管理サーバー
２  遊技場管理者端末
３  遊技機流通業者端末
【図１】
0004556196.tif 000002
【図４】
0004556196.tif 000003
【図５】
0004556196.tif 000004
【図６】
0004556196.tif 000005
【図２】
0004556196.tif 000006
【図３】
0004556196.tif 000007